(57)【要約】【課題】ユーザーにアクセスしている事を注意喚起し易いメディア蓋904上にアクセスランプを配置できていない課題と、開閉可能な蓋とアクセスランプを有する電子機器において、アクセスランプの導光部材901を必要とする構成となり、構成部品も多いという課題があった。【解決手段】弾性部材である腕部1032と蓋外観側部材1033を一体に成型された開閉可能な蓋103と発光部1023を有する電子機器において、前記腕部1032が前記発光部1023からの光を取り入れる入射面1036を有し導光部材となっており、かつ、前記腕部1032の一部が前記蓋外観側部材1033から露出していることを特徴とする。【選択図】図８
2017037207.tif 000002
【特許請求の範囲】
【請求項１】
弾性部材である腕部と蓋外観側部材を一体に成型された開閉可能な蓋と発光部を有する電子機器において、
前記腕部が前記発光部からの光を取り入れる入射面を有し導光部材となっており、
かつ、前記腕部の一部が前記蓋外観側部材から露出していることを特徴とする電子機器。
【請求項２】
前記腕部の一部に前記発光部の光照射面と平行な面で形成されている前記入射面を有することを特徴とする請求項１に記載の電子機器。
【請求項３】
前記発光部は前記蓋近傍に配置することを特徴とする請求項１又は請求項２に記載の電子機器。
【請求項４】
前記腕部を囲うように配置された前記腕部のガイドリブリブ内に前記発光部を配置することを特徴とする請求項１乃至請求項３の何れか一項に記載の電子機器。
【請求項５】
前記アクセスランプと前記腕部は乳白色であることを特徴とする請求項１乃至請求項４の何れか一項に記載の電子機器。
【請求項６】
前記発光部は軸の抜け止めリブより蓋側に配置することを特徴とする請求項１乃至請求項５の何れか一項に記載の電子機器。
【請求項７】
発光部は腕部の端側に配置することを特徴とする請求項１乃至請求項６の何れか一項に記載の電子機器。
【発明の詳細な説明】
【技術分野】
【０００１】
本発明は電子機器の記録メディアへのアクセスを点滅もしくは点灯することでユーザーに知らせるアクセスランプに関する。
【背景技術】
【０００２】
従来、電子機器が記録メディアにアクセスしている最中にユーザーがメディアを取りだすことにより、メディアへの書き込みの失敗や、データの破損などの問題があった。そのため、従来のアクセスランプには、メディアへのアクセス中にユーザーがメディアを取りだすことの無いように注意喚起するために、図１０に示すようにメディア蓋近傍に配置されている物がある。
【０００３】
図１０は従来のアクセスランプを有する電子機器の分解斜視図である。アクセスランプの一部を成す導光部材901と基板上に実装された発光部材902、外装の一部であり導光部材の一部を露出するための開口部903とメディア蓋904である。従来は大きく分けて上記４部品によりアクセスランプを構成していた。また、アクセスランプとは異なるが、蓋を導光部材として利用し蓋自体を発光させて、ユーザーに認知させるものがある（特許文献１）。
【先行技術文献】
【特許文献】
【０００４】
【特許文献１】特開2002-139732号公報
【発明の概要】
【発明が解決しようとする課題】
【０００５】
しかしながら、特許文献１の構成では、そもそもの構成がメディアのアクセスランプを想定していないため、蓋の開閉などを考慮されていないかった。また、図１０に示す従来例では、ユーザーにアクセスしている事を注意喚起し易いメディア蓋上にアクセスランプを配置できていない課題と、開閉可能な蓋とアクセスランプを有する電子機器において、アクセスランプの導光部材を必要とする構成となり、構成部品も多いという課題があった。
【課題を解決するための手段】
【０００６】
上記の課題を解決するために、本発明に係る電子機器は、
弾性部材である腕部と蓋外観側部材を一体に成型された開閉可能な蓋と発光部を有する電子機器において、前記腕部が前記発光部からの光を取り入れる入射面を有し導光部材となっており、かつ、前記腕部の一部が前記蓋外観側部材から露出していることを特徴とする。
【発明の効果】
【０００７】
本発明に係る電子機器によれば、開閉可能な蓋とアクセスランプを有する電子機器において、アクセスランプである導光部材を削減しながら、ユーザーにアクセスしている事を注意喚起し易いメディア蓋上にアクセスランプを配置できる。
【図面の簡単な説明】
【０００８】
【図１】実施形態の全体図である。
【図２】実施形態に必要な構成の分解斜視図である。
【図３】図１の組み立て状態を示す図である。
【図４】基板ユニット102に実装されている部品を示す図である。
【図５】蓋部103の分解斜視図である。
【図６】外装カバー101の内側を示す図である。
【図７】図８の断面を示す図である。
【図８】図７のＡ_Ａ断面である。
【図９】発光部1023と入射面1037の配置を変更した断面図である。
【図１０】従来のアクセスランプを有する電子機器の分解斜視図である。
【発明を実施するための形態】
【０００９】
以下、本発明を実施するための形態を図面に基づいて説明する。
＜第１の実施形態＞
本発明における第一の実施形態を図を用いて説明する。図１は本実施形態の全体図である。本実施形態は撮影者が携帯して使用可能な撮像装置である。本実施形態は本体部10、レンズ部11、グリップ部12、開閉可能なメディアの蓋部103がで構成されている。本実施形態では、レンズ部11、グリップ部12、ハンドル部13は撮影者が本体部10から着脱可能な撮像装置を用いて説明する。本実施形態では、レンズ部11は一般的なレンズ交換式撮像装置に用いられる物と同様の各種入出力手段を有し、機械的、光学的、電気的に本体部10と接続を持つ。
【００１０】
また、レンズ部11は各種特性の異なるレンズ部と交換可能な構成となっている。グリップ部12は撮影者が主に右手で把持する箇所であり、かつ各種入出力手段を備え、本体部10と電気的、機械的な接続を持つ。レンズ部１１により集光した光は、本体部10内部にある不図示の撮像素子へ結像し、光電変換され、撮像装置内部の画処理プロセッサで撮影した映像を処理し、デジタル映像データとして、メディアＳＤカードやＣＦカードなどの記録メディアに記録される。
【００１１】
図２は、本実施形態に必要な構成を分解斜視図にしたものである。外装カバー101、基板ユニット102、開閉可能な蓋部103で構成されている。図３は図１の組み立て状態を示す図である。蓋部103の外観上に露出した部材はアクセスランプ1031であり、メディアにアクセスしている最中に点滅、もしくは点灯することでユーザーにアクセスしていることを注意喚起する物である。図４は基板ユニット102に実装されている部品を示している。図aと図bは基板の表裏である。
【００１２】
前記蓋部103の開閉の検出スイッチ1021とメディアコネクタ1022、メディアコネクタ1022に接続されたメディアに、書き込み等のアクセスを検知すると、点灯もしくは点滅する発光部1023、メインの制御基板に電気的に接続するコネクタ1024が、基板1025上に実装されている。
【００１３】
図５は蓋部103の構成を分解斜視図を用いて示している。蓋部103は二色成型で一体成型され、外観側部材1033はＰＣやＡＢＳ等のプラスティック部材で形成され、蓋の腕部1032を含む内側の部材は弾性部材であるエラストマ部材で形成される。かつ腕部1032は導光部材であり、半透明な乳白色である。これにより、腕部1032の摺動によるすり傷などの影響を受けず一定の導光が可能である。前記検出スイッチ1021を押す部材1034は前記プラスティック部材である。腕部1032のスリット1035は後述する前記蓋部103を抜け止めさせるための機能部の一部である。
【００１４】
図６は外装カバー101の内側を示している。前記スリット1035と系合する抜け止めリブ1011と前記腕部1032の摺動時の可動範囲を規制するガイドリブ1012が形成されている。図７は後述する図８の断面を示す図である。図８は図７のＡ_Ａ断面である。図に示すようにアクセスランプ1031は蓋の腕部1032と同一部材で形成され、かつ導光部材である。これにより、発光部1023が点灯もしくは点滅した際、発光部の光照射面と略平行な面で形成されている入射面1036をから光が入射し、アクセスランプ1031まで導光される。また前記発光部1023は前記蓋103近傍に配置する。
【００１５】
また、前記導光部材である前記アクセスランプ1031と前記腕部1032は導光可能な乳白色である。それによって腕部1032の摺動によって傷がついても光り方の変化が少なくなる。また、前記腕部1032を囲うように配置された前記腕部1032のガイドリブ1012内に前記発光部1023を配置することで、ガイドリブ1012は発光部1023の光が拡散しないための光拡散防止壁ともなる。また、発光部1023は軸の抜け止めリブ1011より蓋部103側に配置する。これにより、蓋の開閉に伴う腕部1032の摺動時に発光部1023に接触することによる破壊が起きない。
【００１６】
図に示すように蓋部103が閉じている時には、検出スイッチ1021を押す部材1034が検出スイッチ1021を押し、蓋部103が閉まっていることを検知する。また、発光部1023は蓋部103が閉まっている時のみ光を照射する。
【００１７】
以上の構成により、弾性部材である腕部1032と蓋外観側部材1033を一体に成型された開閉可能な蓋103と発光部1023を有する電子機器において、前記腕部1032が前記発光部1023からの光を取り入れる入射面1036を有し導光部材となっており、かつ、前記腕部1032の一部が前記蓋外観側部材1033から露出していることを特徴とする。
【００１８】
本実施例により、開閉可能な蓋とアクセスランプを有する電子機器において、アクセスランプである導光部材901を削減しながら、ユーザーにアクセスしている事を注意喚起し易いメディア蓋904上にアクセスランプを配置できる。
【００１９】
＜第２の実施形態＞
本発明の第二の実施形態として、図９に第一の実施例の発光部1023と入射面1037の配置を変更した物を記した。これは図７と同じ面での断面図である。図９に示すように、発光部1023は腕部1032の端側に配置した。発光部1023の配置以外は、第一の実施形態と同じ構成である。第二の実施形態は第一の実施形態と比べ、蓋部103近傍に発光部1023を配置する必要がないため、蓋部103付近の省スペース化が可能である。
【００２０】
以上、本発明をその好適な実施形態に基づいて詳述してきたが、本発明はこれら特定の実施形態に限られるものではなく、この発明の要旨を逸脱しない範囲の様々な形態も本発明に含まれる。上述の実施形態の一部を適宜組み合わせてもよい。
【００２１】
以上説明したように、本発明によれば、開閉可能な蓋とアクセスランプを有する電子機器において、アクセスランプである導光部材を削減しながら、ユーザーにアクセスしている事を注意喚起し易いメディア蓋上にアクセスランプを配置できる。
【符号の説明】
【００２２】
10  本体部、11  レンズ部、12  グリップ部、101  外装カバー、102  基板ユニット、
103  開閉可能な蓋部、1021  検出スイッチ、1022  メディアコネクタ、1023  発光部、
1024  コネクタ、1025  基板、1031  アクセスランプ、1032  蓋の腕部、
1033  外観側部材、1034  検出スイッチ1021を押す部材、1035  スリット、
1036  入射面、1037  入射面、1011  軸の抜け止めリブ、1012  ガイドリブリブ、
901  導光部材、902  発光部材、903  開口部、904  メディア蓋
【図１】
2017037207.tif 000003
【図２】
2017037207.tif 000004
【図３】
2017037207.tif 000005
【図４】
2017037207.tif 000006
【図５】
2017037207.tif 000007
【図６】
2017037207.tif 000008
【図７】
2017037207.tif 000009
【図８】
2017037207.tif 000010
【図９】
2017037207.tif 000011
【図１０】
2017037207.tif 000012